(57)【要約】【課題】ＬＴＥ Ｒｅｌ．１０までのＰＤＣＣＨと、このＰＤＣＣＨよりも高度化した下りリンク制御チャネルとが、無線リソースに割り当てられて共存した場合でも、データチャネルのスループットの低下を防ぐことができる制御チャネル無線リソース割当装置、及び制御チャネル無線リソース割当プログラムを提供する。【解決手段】制御チャネル無線リソース割当装置１０−１は、第１制御チャネル及び第２制御チャネルの少なくとも一方を選択する選択部１１−１と、第１制御チャネルの所要無線リソース量を定める第１制御チャネルリソース量決定部１２−１と、第１制御チャネルの無線リソースを割り当てる第１制御チャネル割当部１３−１と、第２制御チャネルの所要無線リソース量を定める第２制御チャネルリソース量決定部１４−１と、第２制御チャネルの無線リソースを割り当てる第２制御チャネル割当部１５−１と、を備える。【選択図】図１
2013175893.tif 000002
【特許請求の範囲】
【請求項１】
第１制御チャネル及び第２制御チャネルの少なくとも一方を選択する選択部と、
前記選択部により前記第１制御チャネルが選択された場合、前記第１制御チャネルの所要無線リソース量を定める第１制御チャネルリソース量決定部と、
前記第１制御チャネルリソース量決定部により定められた前記第１制御チャネルの所要無線リソース量で、前記第１制御チャネルの無線リソースを割り当てる第１制御チャネル割当部と、
前記選択部により前記第２制御チャネルが選択された場合、前記第２制御チャネルの所要無線リソース量を定める第２制御チャネルリソース量決定部と、
前記第２制御チャネルリソース量決定部により定められた前記第２制御チャネルの所要無線リソース量で、前記第２制御チャネルの無線リソースを割り当てる第２制御チャネル割当部と、
を備えることを特徴とする制御チャネル無線リソース割当装置。
【請求項２】
前記第１制御チャネル割当部は、ピコ基地局側として動作する場合、ピコ基地局と通信する端末に第１制御チャネルの無線リソースを割り当て、
前記第２制御チャネル割当部は、マクロ基地局側として動作する場合、マクロ基地局と通信する端末に第２制御チャネルの無線リソースを割り当てることを特徴とする請求項１に記載の制御チャネル無線リソース割当装置。
【請求項３】
前記第２制御チャネル割当部は、ピコ基地局側として動作する場合、ピコ基地局と通信する端末に第２制御チャネルの無線リソースを割り当て、該割り当てを示す情報を、マクロ基地局側として動作するデータチャネル割当装置に通知することにより、前記データチャネル割当装置が、前記割り当てを示す情報が示す無線リソースに、マクロ基地局と通信する端末のデータチャネルの無線リソースを、割り当て不可とすることを特徴とする請求項１に記載の制御チャネル無線リソース割当装置。
【請求項４】
前記第２制御チャネル割当部は、ピコ基地局側として動作する場合、ピコ基地局の拡張されたカバレッジに位置する端末に、前記拡張されたカバレッジに位置しない端末と比較して優先的に、前記第２制御チャネルの無線リソースを割り当てることを特徴とする請求項３に記載の制御チャネル無線リソース割当装置。
【請求項５】
前記第１制御チャネル割当部は、前記拡張されたカバレッジに位置しない端末に、前記第２制御チャネル割当部が前記第２制御チャネルの無線リソースを割り当てることができない場合、前記拡張されたカバレッジに位置しない端末に、前記第１制御チャネルの無線リソースを割り当てることを特徴とする請求項４に記載の制御チャネル無線リソース割当装置。
【請求項６】
前記選択部は、ワイドバンドチャネル品質指標及びサブバンドチャネル品質指標の差に応じて、前記第１制御チャネル及び前記第２制御チャネルを選択し、
前記第１制御チャネル割当部は、前記選択部による選択に基づいて、前記差が所定閾値未満である端末に、前記第１制御チャネルの無線リソースを割り当て、
前記第２制御チャネル割当部は、前記選択部による選択に基づいて、前記差が前記所定閾値以上である端末に、前記第２制御チャネルの無線リソースを割り当てることを特徴とする請求項１に記載の制御チャネル無線リソース割当装置。
【請求項７】
第１制御チャネルの所要無線リソース量を定め、前記第１制御チャネルの所要無線リソース量に基づいて、前記第１制御チャネルのアグリゲーションレベルを定める第１制御チャネルリソース量決定部と、
第２制御チャネルの所要無線リソース量を定め、前記第２制御チャネルの所要無線リソース量に基づいて、前記第２制御チャネルのアグリゲーションレベルを定める第２制御チャネルリソース量決定部と、
前記第１制御チャネルのアグリゲーションレベルと、前記第２制御チャネルのアグリゲーションレベルとに基づいて、前記第１制御チャネル及び前記第２制御チャネルの少なくとも一方を選択する選択部と、
前記選択部により前記第１制御チャネルが選択された場合、前記第１制御チャネルリソース量決定部により定められた前記第１制御チャネルの所要無線リソース量で、前記第１制御チャネルの無線リソースを割り当てる第１制御チャネル割当部と、
前記選択部により前記第２制御チャネルが選択された場合、前記第２制御チャネルリソース量決定部により定められた前記第２制御チャネルの所要無線リソース量で、前記第２制御チャネルの無線リソースを割り当てる第２制御チャネル割当部と、
を備えることを特徴とする制御チャネル無線リソース割当装置。
【請求項８】
前記選択部は、端末毎にブラインドデコーディングの回数が等しくなるように、前記第１制御チャネルのアグリゲーションレベルと、前記第２制御チャネルのアグリゲーションレベルとに基づいて、前記第１制御チャネル及び前記第２制御チャネルを選択し、
前記第１制御チャネル割当部は、前記選択部による選択に基づいて、アグリゲーションレベルが１又は２である端末に、前記第１制御チャネルの無線リソースを割り当て、
前記第２制御チャネル割当部は、前記選択部による選択に基づいて、アグリゲーションレベルが４又は８である端末に、前記第２制御チャネルの無線リソースを割り当てることを特徴とする請求項７に記載の制御チャネル無線リソース割当装置。
【請求項９】
前記選択部は、前記第１制御チャネルの所要無線リソース量の半分の量が、前記第２制御チャネルの所要無線リソース量と等しくなるように、前記第１制御チャネルのアグリゲーションレベルと、前記第２制御チャネルのアグリゲーションレベルとに基づいて、前記第１制御チャネル及び前記第２制御チャネルを選択し、
前記第１制御チャネル割当部は、前記選択部による選択に基づいて、アグリゲーションレベルが４又は８である端末に、前記第１制御チャネルの無線リソースを割り当て、
前記第２制御チャネル割当部は、前記選択部による選択に基づいて、アグリゲーションレベルが１又は２である端末に、前記第２制御チャネルの無線リソースを割り当てることを特徴とする請求項７に記載の制御チャネル無線リソース割当装置。
【請求項１０】
前記第１制御チャネル割当部により割り当てられた前記第１制御チャネルを、複数のサブフレームに連続的に配置されたデータチャネルに割り当てられた同一の無線リソースに対応するように割り当て直し、前記第２制御チャネル割当部により割り当てられた前記第２制御チャネルを、複数のサブフレームに連続的に配置されたデータチャネルに割り当てられた同一の無線リソースに対応するように割り当て直す第３制御チャネル割当部
を備えることを特徴とする請求項１から請求項９のいずれか一項に記載の制御チャネル無線リソース割当装置。
【請求項１１】
前記第３制御チャネル割当部は、バッファの送信キュー長が、当該バッファに記憶されたデータが送信されるサブフレームの割当結果が用いられる送信可能データサイズの２倍以上となる端末に、複数のサブフレームに連続的に配置されたデータチャネルに割り当てられた同一の無線リソースを割り当てることを特徴とする請求項１０に記載の制御チャネル無線リソース割当装置。
【請求項１２】
コンピュータに、
第１制御チャネル及び第２制御チャネルの少なくとも一方を選択する手順と、
前記第１制御チャネルが選択された場合、前記第１制御チャネルの所要無線リソース量を定める手順と、
定められた前記第１制御チャネルの所要無線リソース量で、前記第１制御チャネルの無線リソースを割り当てる手順と、
前記第２制御チャネルが選択された場合、前記第２制御チャネルの所要無線リソース量を定める手順と、
定められた前記第２制御チャネルの所要無線リソース量で、前記第２制御チャネルの無線リソースを割り当てる手順と、
を実行させるための制御チャネル無線リソース割当プログラム。
【発明の詳細な説明】
【技術分野】
【０００１】
本発明は、制御チャネル無線リソース割当装置、及び制御チャネル無線リソース割当プログラムに関する。
【背景技術】
【０００２】
通信規格の一つであるＬＴＥ（Ｌｏｎｇ Ｔｅｒｍ Ｅｖｏｌｕｔｉｏｎ）の下りリンクでは、無線リソースの割り当てを端末に通知するために、下りリンク制御チャネル（Ｐｈｙｓｉｃａｌ Ｄｏｗｎｌｉｎｋ Ｃｏｎｔｒｏｌ Ｃｈａｎｎｅｌ：ＰＤＣＣＨ）が用いられている。この下りリンク制御チャネルと、無線リソースが実際に割り当てられるデータチャネルである下りリンク共有チャネル (Ｐｈｙｓｉｃａｌ Ｄｏｗｎｌｉｎｋ Ｓｈａｒｅｄ Ｃｈａｎｎｅｌ：ＰＤＳＣＨ)とは、一対一で対応している。
【０００３】
また、スループット（通信容量）の向上を図るため、ＬＴＥ−Ａｄｖａｎｃｅｄ(ＬＴＥ Ｒｅｌ．１０以降)では、下りリンクにおけるＭＩＭＯ(Ｍｕｌｔｉｐｌｅ‐Ｉｎｐｕｔ Ｍｕｌｔｉｐｌｅ‐Ｏｕｔｐｕｔ)、キャリア・アグリゲーション（Ｃａｒｒｉｅｒ Ａｇｇｒｅｇａｔｉｏｎ：ＣＡ）、多地点協調 (Ｃｏｏｒｄｉｎａｔｅｄ Ｍｕｌｔｉｐｏｉｎｔ Ｔｒａｎｓｍｉｓｓｉｏｎ：ＣｏＭＰ)などの機能拡張が検討されている（非特許文献１及び２参照）。
【先行技術文献】
【非特許文献】
【０００４】
【非特許文献１】3GPP, TS 36.211 V10.2.0, “Evolved Universal Terrestrial Radio Access (E-UTRA); Physical Channels and Modulation (Release 10),” June 2011
【非特許文献２】3GPP, TS 36.213 V10.2.0, “Evolved Universal Terrestrial Radio Access (E-UTRA); Physical layer procedures (Release 10),” June 2011.
【発明の概要】
【発明が解決しようとする課題】
【０００５】
しかしながら、ＭＩＭＯ、キャリア・アグリゲーション（ＣＡ）、多地点協調（ＣｏＭＰ)などの機能拡張がされた場合、同一サブフレームのデータチャネル領域に割り当てられる端末の台数が急増するため、ＬＴＥ Ｒｅｌ．１０までの下りリンク制御チャネル（ＰＤＣＣＨ）の容量が不足するという問題がある。
【０００６】
この問題を解決するために、データチャネル領域の一部に配置される下りリンク制御チャネルであって、ＬＴＥ Ｒｅｌ．１０までのＰＤＣＣＨと比較して高度化した下りリンク制御チャネルが提案されている。この高度化した下りリンク制御チャネルは、下りリンクのデータチャネル領域の一部に配置される。
【０００７】
しかしながら、ＬＴＥ Ｒｅｌ．１０までのＰＤＣＣＨと、このＰＤＣＣＨよりも高度化した下りリンク制御チャネルとが、無線リソースに単に割り当てられて共存した場合、データチャネルのスループットが低下してしまうという問題がある。
【０００８】
本発明は、前記の諸点に鑑みてなされたものであり、ＬＴＥ Ｒｅｌ．１０までのＰＤＣＣＨと、このＰＤＣＣＨよりも高度化した下りリンク制御チャネルとが、無線リソースに割り当てられて共存した場合でも、データチャネルのスループットの低下を防ぐことができる制御チャネル無線リソース割当装置、及び制御チャネル無線リソース割当プログラムを提供することを目的とする。
【課題を解決するための手段】
【０００９】
本発明は、上記の課題を解決するためになされたものであり、第１制御チャネル及び第２制御チャネルの少なくとも一方を選択する選択部と、前記選択部により前記第１制御チャネルが選択された場合、前記第１制御チャネルの所要無線リソース量を定める第１制御チャネルリソース量決定部と、前記第１制御チャネルリソース量決定部により定められた前記第１制御チャネルの所要無線リソース量で、前記第１制御チャネルの無線リソースを割り当てる第１制御チャネル割当部と、前記選択部により前記第２制御チャネルが選択された場合、前記第２制御チャネルの所要無線リソース量を定める第２制御チャネルリソース量決定部と、前記第２制御チャネルリソース量決定部により定められた前記第２制御チャネルの所要無線リソース量で、前記第２制御チャネルの無線リソースを割り当てる第２制御チャネル割当部と、を備えることを特徴とする制御チャネル無線リソース割当装置である。
【００１０】
また、本発明は、前記第１制御チャネル割当部が、ピコ基地局側として動作する場合、ピコ基地局と通信する端末に第１制御チャネルの無線リソースを割り当て、前記第２制御チャネル割当部が、マクロ基地局側として動作する場合、マクロ基地局と通信する端末に第２制御チャネルの無線リソースを割り当てることを特徴とする制御チャネル無線リソース割当装置である。
【００１１】
また、本発明は、前記第２制御チャネル割当部が、ピコ基地局側として動作する場合、ピコ基地局と通信する端末に第２制御チャネルの無線リソースを割り当て、該割り当てを示す情報を、マクロ基地局側として動作するデータチャネル割当装置に通知することにより、前記データチャネル割当装置が、前記割り当てを示す情報が示す無線リソースに、マクロ基地局と通信する端末のデータチャネルの無線リソースを、割り当て不可とすることを特徴とする制御チャネル無線リソース割当装置である。
【００１２】
また、本発明は、前記第２制御チャネル割当部が、ピコ基地局側として動作する場合、ピコ基地局の拡張されたカバレッジに位置する端末に、前記拡張されたカバレッジに位置しない端末と比較して優先的に、前記第２制御チャネルの無線リソースを割り当てることを特徴とする制御チャネル無線リソース割当装置である。
【００１３】
また、本発明は、前記第１制御チャネル割当部が、前記拡張されたカバレッジに位置しない端末に、前記第２制御チャネル割当部が前記第２制御チャネルの無線リソースを割り当てることができない場合、前記拡張されたカバレッジに位置しない端末に、前記第１制御チャネルの無線リソースを割り当てることを特徴とする制御チャネル無線リソース割当装置である。
【００１４】
また、本発明は、前記選択部が、ワイドバンドチャネル品質指標及びサブバンドチャネル品質指標の差に応じて、前記第１制御チャネル及び前記第２制御チャネルを選択し、前記第１制御チャネル割当部が、前記選択部による選択に基づいて、前記差が所定閾値未満である端末に、前記第１制御チャネルの無線リソースを割り当て、前記第２制御チャネル割当部が、前記選択部による選択に基づいて、前記差が前記所定閾値以上である端末に、前記第２制御チャネルの無線リソースを割り当てることを特徴とする制御チャネル無線リソース割当装置である。
【００１５】
また、本発明は、第１制御チャネルの所要無線リソース量を定め、前記第１制御チャネルの所要無線リソース量に基づいて、前記第１制御チャネルのアグリゲーションレベルを定める第１制御チャネルリソース量決定部と、第２制御チャネルの所要無線リソース量を定め、前記第２制御チャネルの所要無線リソース量に基づいて、前記第２制御チャネルのアグリゲーションレベルを定める第２制御チャネルリソース量決定部と、前記第１制御チャネルのアグリゲーションレベルと、前記第２制御チャネルのアグリゲーションレベルとに基づいて、前記第１制御チャネル及び前記第２制御チャネルの少なくとも一方を選択する選択部と、前記選択部により前記第１制御チャネルが選択された場合、前記第１制御チャネルリソース量決定部により定められた前記第１制御チャネルの所要無線リソース量で、前記第１制御チャネルの無線リソースを割り当てる第１制御チャネル割当部と、前記選択部により前記第２制御チャネルが選択された場合、前記第２制御チャネルリソース量決定部により定められた前記第２制御チャネルの所要無線リソース量で、前記第２制御チャネルの無線リソースを割り当てる第２制御チャネル割当部と、を備えることを特徴とする制御チャネル無線リソース割当装置である。
【００１６】
また、本発明は、前記選択部が、端末毎にブラインドデコーディングの回数が等しくなるように、前記第１制御チャネルのアグリゲーションレベルと、前記第２制御チャネルのアグリゲーションレベルとに基づいて、前記第１制御チャネル及び前記第２制御チャネルを選択し、前記第１制御チャネル割当部が、前記選択部による選択に基づいて、アグリゲーションレベルが１又は２である端末に、前記第１制御チャネルの無線リソースを割り当て、前記第２制御チャネル割当部が、前記選択部による選択に基づいて、アグリゲーションレベルが４又は８である端末に、前記第２制御チャネルの無線リソースを割り当てることを特徴とする制御チャネル無線リソース割当装置である。
【００１７】
また、本発明は、前記選択部が、前記第１制御チャネルの所要無線リソース量の半分の量が、前記第２制御チャネルの所要無線リソース量と等しくなるように、前記第１制御チャネルのアグリゲーションレベルと、前記第２制御チャネルのアグリゲーションレベルとに基づいて、前記第１制御チャネル及び前記第２制御チャネルを選択し、前記第１制御チャネル割当部が、前記選択部による選択に基づいて、アグリゲーションレベルが４又は８である端末に、前記第１制御チャネルの無線リソースを割り当て、前記第２制御チャネル割当部が、前記選択部による選択に基づいて、アグリゲーションレベルが１又は２である端末に、前記第２制御チャネルの無線リソースを割り当てることを特徴とする制御チャネル無線リソース割当装置である。
【００１８】
また、本発明は、前記第１制御チャネル割当部により割り当てられた前記第１制御チャネルを、複数のサブフレームに連続的に配置されたデータチャネルに割り当てられた同一の無線リソースに対応するように割り当て直し、前記第２制御チャネル割当部により割り当てられた前記第２制御チャネルを、複数のサブフレームに連続的に配置されたデータチャネルに割り当てられた同一の無線リソースに対応するように割り当て直す第３制御チャネル割当部を備えることを特徴とする制御チャネル無線リソース割当装置である。
【００１９】
また、本発明は、前記第３制御チャネル割当部が、バッファの送信キュー長が、当該バッファに記憶されたデータが送信されるサブフレームの割当結果が用いられる送信可能データサイズの２倍以上となる端末に、複数のサブフレームに連続的に配置されたデータチャネルに割り当てられた同一の無線リソースを割り当てることを特徴とする制御チャネル無線リソース割当装置である。
【００２０】
また、本発明は、コンピュータに、第１制御チャネル及び第２制御チャネルの少なくとも一方を選択する手順と、前記第１制御チャネルが選択された場合、前記第１制御チャネルの所要無線リソース量を定める手順と、定められた前記第１制御チャネルの所要無線リソース量で、前記第１制御チャネルの無線リソースを割り当てる手順と、前記第２制御チャネルが選択された場合、前記第２制御チャネルの所要無線リソース量を定める手順と、定められた前記第２制御チャネルの所要無線リソース量で、前記第２制御チャネルの無線リソースを割り当てる手順と、を実行させるための制御チャネル無線リソース割当プログラムである。
【発明の効果】
【００２１】
本発明によれば、第１制御チャネル割当部は、第１制御チャネルの無線リソースを割り当てる。また、第２制御チャネル割当部は、第２制御チャネルの無線リソースを割り当てる。これにより、制御チャネル無線リソース割当装置は、ＬＴＥ Ｒｅｌ．１０までのＰＤＣＣＨと、このＰＤＣＣＨよりも高度化した下りリンク制御チャネルとが、無線リソースに割り当てられて共存した場合でも、データチャネルのスループットの低下を防ぐことができる。
【図面の簡単な説明】
【００２２】
【図１】本発明の第１実施形態における、制御チャネル無線リソース割当装置の第１構成例を示すブロック図である。
【図２】本発明の第１実施形態における、ＬＴＥ Ｒｅｌ．１０までのＰＤＣＣＨ領域の例を示す図である。
【図３】本発明の第１実施形態における、データチャネル領域の一部にｅＰＤＣＣＨ可能領域の例を示す図である。
【図４】本発明の第２実施形態における、制御チャネル無線リソース割当装置の第２構成例を示すブロック図である。
【図５】本発明の第２実施形態における、複数のサブフレームに連続的に配置されたデータチャネルに割り当てられた同一の無線リソースに対応する、高度化した下りリンク制御チャネル領域の例を示す図である。
【図６】本発明の第２実施形態における、複数のサブフレームに連続的に配置されたデータチャネルに割り当てられた同一の無線リソースに対応する、ＬＴＥ Ｒｅｌ．１０までのＰＤＣＣＨ領域の例を示す図である。
【図７】本発明の第３実施形態における、制御チャネル無線リソース割当装置の第３構成例を示すブロック図である。
【図８】本発明の第３実施形態における、制御チャネル無線リソース割当装置の第４構成例を示すブロック図である。
【発明を実施するための形態】
【００２３】
［第１実施形態］
本発明の第１実施形態について図面を参照して詳細に説明する。第１実施形態では、マクロ基地局とピコ基地局とが混在するヘテロジニアスネットワークにおいて、オールモスト・ブランク・サブフレーム(Ａｌｍｏｓｔ Ｂｌａｎｋ Ｓｕｂｆｒａｍｅ：ＡＢＳ）が適用されない場合の制御チャネル無線リソース割当装置について説明する。
【００２４】
以下、データチャネル領域の一部に配置される下りリンク制御チャネルであって、ＬＴＥ Ｒｅｌ．１０までのＰＤＣＣＨ（以下、「レガシーＰＤＣＣＨ」という）と比較して高度化した下りリンク制御チャネルを、「ｅＰＤＣＣＨ（ｅｎｈａｎｃｅｄ  ＰＤＣＣＨ）」という。
【００２５】
また、以下、予め定められたデータチャネル領域において、ｅＰＤＣＣＨパケットが割り当てられる無線リソースを含む領域を、「ｅＰＤＣＣＨ可能領域」という。ここで、ｅＰＤＣＣＨパケットには、データチャネルへの無線リソースの割り当て結果を端末（不図示）に通知するための制御情報が含まれる。
【００２６】
また、以下、マクロ基地局に接続している端末を、「マクロＵＥ（Ｕｓｅｒ Ｅｑｕｉｐｍｅｎｔ）」という。また、ピコ基地局に接続している端末を、「ピコＵＥ」という。
【００２７】
図１には、制御チャネル無線リソース割当装置の第１構成例が、ブロック図により示されている。制御チャネル無線リソース割当装置１０−１及び１０−２（無線リソース割当システム）は、レガシーＰＤＣＣＨとｅＰＤＣＣＨとが共存する無線システムに備えられる。制御チャネル無線リソース割当装置１０−１及び１０−２は、ピコＵＥの制御チャネルがマクロ基地局からの強い干渉を受けないよう、レガシーＰＤＣＣＨ（第１制御チャネル）とｅＰＤＣＣＨ（第２制御チャネル）とを使い分ける。
【００２８】
以下、制御チャネル無線リソース割当装置１０−１及び１０−２に共通する事項については、ハイフン付きの符号を省略し、制御チャネル無線リソース割当装置１０と表記する。また、他の構成における符号についても同様に表記する。
【００２９】
制御チャネル無線リソース割当装置１０−１は、選択部１１−１と、第１制御チャネルリソース量決定部１２−１と、第１制御チャネル割当部１３−１と、第２制御チャネルリソース量決定部１４−１と、第２制御チャネル割当部１５−１とを備える。
【００３０】
また、制御チャネル無線リソース割当装置１０−２は、制御チャネル無線リソース割当装置１０−１と同構成を有する。すなわち、制御チャネル無線リソース割当装置１０−２は、選択部１１−２と、第１制御チャネルリソース量決定部１２−２と、第１制御チャネル割当部１３−２と、第２制御チャネルリソース量決定部１４−２と、第２制御チャネル割当部１５−２とを備える。
【００３１】
以下、制御チャネル無線リソース割当装置１０−１は、マクロ基地局（不図示）に備えられているものとする。また、制御チャネル無線リソース割当装置１０−２は、ピコ基地局（不図示）に備えられているものとする。
【００３２】
＜マクロＵＥに対してｅＰＤＣＣＨが割り当てられ、ピコＵＥに対してレガシーＰＤＣＣＨが割り当てられる場合について＞
まず、制御チャネル無線リソース割当装置１０−２（ピコ基地局側）の構成例を説明する。
選択部１１−２は、ピコＵＥに対して無線リソースを割り当てるための制御チャネルとして、レガシーＰＤＣＣＨ（第１制御チャネル）を選択する。選択部１１−２は、この選択結果を、第１制御チャネルリソース量決定部１２−２に出力する。
【００３３】
第１制御チャネルリソース量決定部１２−２は、選択部１１−２によりレガシーＰＤＣＣＨが選択された場合、ｅＰＤＣＣＨの所要無線リソース量と等しくなるように、レガシーＰＤＣＣＨの所要無線リソース量を定める。
【００３４】
ここで、ｅＰＤＣＣＨの所要無線リソース量とは、端末（ＵＥ）に割り当てられる全てのｅＰＤＣＣＨパケットを収容するための所要無線リソース量である。所要無線リソース量のサイズは、例えば、ワイドバンドチャネル情報（Ｃｈａｎｎｅｌ ｓｔａｔｅ ｉｎｆｏｒｍａｔｉｏｎ：ＣＳＩ)、又は、サブバンドチャネル情報（ＣＳＩ)に基づいて決定され、アグリゲーションレベル（Ａｇｇｒｅｇａｔｉｏｎ  Ｌｅｖｅｌ）により表現される。
【００３５】
第１制御チャネル割当部１３−２には、レガシーＰＤＣＣＨの所要無線リソース量を示す情報が、第１制御チャネルリソース量決定部１２−２から入力される。第１制御チャネル割当部１３−２は、レガシーＰＤＣＣＨの所要無線リソース量を用いて、レガシーＰＤＣＣＨの無線リソースをピコＵＥに割り当てる。
【００３６】
図２には、ＬＴＥ Ｒｅｌ．１０までのＰＤＣＣＨ（レガシーＰＤＣＣＨ）領域の例が示されている。縦軸は、周波数軸である。また、横軸は、時間軸である。サブフレーム毎の前半の１〜３個のＯＦＤＭシンボルにより区分される領域には、無線リソースの割り当てを端末（ＵＥ）に通知するための下りリンク制御チャネルとして、レガシーＰＤＣＣＨが配置されている。
【００３７】
図１に戻り、次に、制御チャネル無線リソース割当装置１０−１（マクロ基地局側）の構成例を説明する。
選択部１１−１は、マクロＵＥのための制御チャネルとして、ｅＰＤＣＣＨ（第２制御チャネル）を選択する。選択部１１−１は、この選択結果を、第２制御チャネルリソース量決定部１４−１に出力する。
【００３８】
第２制御チャネルリソース量決定部１４−１は、選択部１１−１によりｅＰＤＣＣＨが選択された場合、レガシーＰＤＣＣＨの所要無線リソース量と等しくなるように、ｅＰＤＣＣＨの所要無線リソース量を定める。
【００３９】
第２制御チャネル割当部１５−１には、ｅＰＤＣＣＨパケットの所要無線リソース量を示す情報が、第２制御チャネルリソース量決定部１４−１から入力される。第２制御チャネル割当部１５−１は、ｅＰＤＣＣＨの所要無線リソース量を用いて、ｅＰＤＣＣＨの無線リソースをマクロＵＥに割り当てる。
【００４０】
図３には、データチャネル領域の一部に配置されたｅＰＤＣＣＨ可能領域の例が示されている。縦軸は、周波数軸である。また、横軸は、時間軸である。サブフレーム毎の前半の１〜３個のＯＦＤＭシンボルにより区分される領域には、無線リソースの割り当てを端末（ＵＥ）に通知するための下りリンク制御チャネルとして、レガシーＰＤＣＣＨが配置されてもよい。また、サブフレームの残りのＯＦＤＭシンボル、すなわち、１１〜１３個のＯＦＤＭシンボルにより区分される領域は、データチャネル領域と定められる。これらのデータチャネル領域には、下りリンク共有チャネル（ＰＤＳＣＨ）が配置される。さらに、データチャネル領域の一部（下りリンク共有チャネル（ＰＤＳＣＨ）以外）には、ｅＰＤＣＣＨ可能領域が配置されてもよい。図３では、左から２番目のサブフレームのデータチャネル領域の一部に、ＰＤＳＣＨ及びｅＰＤＣＣＨ可能領域が配置されている。
【００４１】
＜マクロＵＥに対してレガシーＰＤＣＣＨが割り当てられ、ピコＵＥに対してｅＰＤＣＣＨが割り当てられる場合について＞
図１に戻り、まず、制御チャネル無線リソース割当装置１０−２（ピコ基地局側）の構成例を説明する。
選択部１１−２は、ピコＵＥのための制御チャネルとして、ｅＰＤＣＣＨを選択する。選択部１１−２は、この選択結果を、第２制御チャネルリソース量決定部１４−２に出力する。
【００４２】
第２制御チャネルリソース量決定部１４−２は、選択部１１−２によりｅＰＤＣＣＨが選択された場合、レガシーＰＤＣＣＨの所要無線リソース量と等しくなるように、ｅＰＤＣＣＨの所要無線リソース量を定める。
【００４３】
第２制御チャネル割当部１５−２には、ｅＰＤＣＣＨの所要無線リソース量を示す情報が、第２制御チャネルリソース量決定部１４−２から入力される。第２制御チャネル割当部１５−２は、ｅＰＤＣＣＨの所要無線リソース量を示す情報に基づいて、その所要無線リソース量のｅＰＤＣＣＨにより、ピコＵＥに対して無線リソースを割り当てる。また、第２制御チャネル割当部１５−２は、ピコＵＥに対する無線リソースの割り当てを示す情報を、マクロ基地局側のデータチャネル割当装置２０に通知する。
【００４４】
次に、制御チャネル無線リソース割当装置１０−１（マクロ基地局側）の構成例を説明する。
選択部１１−１は、マクロＵＥに対して無線リソースを割り当てるための制御チャネルとして、レガシーＰＤＣＣＨを選択する。選択部１１−１は、この選択結果を、第１制御チャネルリソース量決定部１２−１に出力する。
【００４５】
第１制御チャネルリソース量決定部１２−１は、選択部１１−１によりレガシーＰＤＣＣＨが選択された場合、ｅＰＤＣＣＨの所要無線リソース量と等しくなるように、レガシーＰＤＣＣＨの所要無線リソース量を定める。
【００４６】
第１制御チャネル割当部１３−１には、レガシーＰＤＣＣＨの所要無線リソース量を示す情報が、第１制御チャネルリソース量決定部１２−１から入力される。第１制御チャネル割当部１３−１は、レガシーＰＤＣＣＨの所要無線リソース量を用いて、レガシーＰＤＣＣＨの無線リソースをマクロＵＥに割り当てる。
【００４７】
また、マクロ基地局側のデータチャネル割当装置２０には、制御チャネル無線リソース割当装置１０−２（ピコ基地局側）の第２制御チャネル割当部１５−２から、ピコＵＥに対する無線リソースの割り当てを示す情報が通知される。
【００４８】
データチャネル割当装置２０は、ピコＵＥに対する無線リソースの割り当てを示す情報に基づいて、ピコＵＥに対して割り当てられていないデータチャネルの無線リソースを検出する。また、データチャネル割当装置２０は、ピコＵＥに対して割り当てられていないデータチャネルの無線リソースに、マクロＵＥに対するデータチャネルの無線リソースを割り当てる。
【００４９】
＜ピコ基地局のカバレッジが、セルレンジ拡張（Ｃｅｌｌ Ｒａｎｇｅ Ｅｘｐａｎｓｉｏｎ：ＣＲＥ)により拡張される場合について＞
ピコＵＥには、セルレンジ拡張（ＣＲＥ）によりピコ基地局に接続するＵＥ（以下、「ＣＲＥピコＵＥ」という）と、セルレンジ拡張（ＣＲＥ）によらずピコ基地局に接続するＵＥ（以下、「非ＣＲＥピコＵＥ」という）とがある。ここで、ＣＲＥピコＵＥは、非ＣＲＥピコＵＥと比較して、マクロ基地局からの干渉が強いことが多い。
【００５０】
まず、制御チャネル無線リソース割当装置１０−２（ピコ基地局側）の構成例を説明する。
選択部１１−２は、ＣＲＥピコＵＥのための制御チャネルとして、ｅＰＤＣＣＨを選択する。一方、選択部１１−２は、非ＣＲＥピコＵＥのための制御チャネルとして、ｅＰＤＣＣＨを暫定的に選択する。
【００５１】
第２制御チャネルリソース量決定部１４−２は、ＣＲＥピコＵＥのための制御チャネルとして、選択部１１−２によりｅＰＤＣＣＨが選択された場合、ＣＲＥピコＵＥに対するｅＰＤＣＣＨの所要無線リソース量を定める。また、第２制御チャネルリソース量決定部１４−２は、非ＣＲＥピコＵＥのための制御チャネルとして、選択部１１−２によりｅＰＤＣＣＨが選択された場合、非ＣＲＥピコＵＥに対するｅＰＤＣＣＨの所要無線リソース量を定める。
【００５２】
第２制御チャネル割当部１５−２には、ＣＲＥピコＵＥに対するｅＰＤＣＣＨの所要無線リソース量を示す情報と、非ＣＲＥピコＵＥに対するｅＰＤＣＣＨの所要無線リソース量を示す情報とが、第２制御チャネルリソース量決定部１４−２から入力される。
【００５３】
第２制御チャネル割当部１５−２は、ＣＲＥピコＵＥに対するｅＰＤＣＣＨの所要無線リソース量を示す情報に基づいて、その所要無線リソース量のｅＰＤＣＣＨにより、ＣＲＥピコＵＥに対して無線リソースを割り当てる。また、第２制御チャネル割当部１５−２は、ＣＲＥピコＵＥに対する無線リソースの割り当てを示す情報を、マクロ基地局側のデータチャネル割当装置２０に通知する。
【００５４】
また、第２制御チャネル割当部１５−２は、非ＣＲＥピコＵＥに対するｅＰＤＣＣＨの所要無線リソース量を示す情報に基づいて、その所要無線リソース量のｅＰＤＣＣＨにより、非ＣＲＥピコＵＥに対して無線リソースを割り当てる。ここで、第２制御チャネル割当部１５−２は、ｅＰＤＣＣＨによる無線リソースの割り当てが失敗した場合、非ＣＲＥピコＵＥに対して、レガシーＰＤＣＣＨにより無線リソースを割り当てる。
【００５５】
第２制御チャネル割当部１５−２は、非ＣＲＥピコＵＥに対する無線リソースの割り当てを示す情報を、マクロ基地局側のデータチャネル割当装置２０に通知する。
【００５６】
次に、制御チャネル無線リソース割当装置１０−１（マクロ基地局側）の構成例を説明する。
選択部１１−１は、マクロＵＥに対して無線リソースを割り当てるための制御チャネルとして、レガシーＰＤＣＣＨを選択する。選択部１１−１は、この選択結果を、第１制御チャネルリソース量決定部１２−１に出力する。
【００５７】
第１制御チャネルリソース量決定部１２−１は、選択部１１−１によりレガシーＰＤＣＣＨが選択された場合、レガシーＰＤＣＣＨの所要無線リソース量を定める。
【００５８】
第１制御チャネル割当部１３−１には、レガシーＰＤＣＣＨの所要無線リソース量を示す情報が、第１制御チャネルリソース量決定部１２−１から入力される。第１制御チャネル割当部１３−１は、レガシーＰＤＣＣＨの所要無線リソース量を用いて、レガシーＰＤＣＣＨの無線リソースをマクロＵＥに割り当てる。
【００５９】
データチャネル割当装置２０には、制御チャネル無線リソース割当装置１０−２（ピコ基地局側）の第２制御チャネル割当部１５−２から、ＣＲＥピコＵＥに対する無線リソースの割り当てを示す情報と、非ＣＲＥピコＵＥに対する無線リソースの割り当てを示す情報とが通知される。
【００６０】
データチャネル割当装置２０は、ＣＲＥピコＵＥに対する無線リソースの割り当てを示す情報に基づいて、ピコＵＥに対して割り当てられていない無線リソースを検出する。また、データチャネル割当装置２０は、非ＣＲＥピコＵＥに対する無線リソースの割り当てを示す情報に基づいて、非ピコＵＥに対して割り当てられていない無線リソースを検出する。データチャネル割当装置２０は、ＣＲＥピコＵＥ及び非ＣＲＥピコＵＥのいずれに対しても割り当てられていない無線リソースに、マクロＵＥに対するデータチャネルの無線リソースを割り当てる。
【００６１】
以上のように、制御チャネル無線リソース割当装置１０（無線リソース割当システム）は、第１制御チャネル（レガシーＰＤＣＣＨ）及び第２制御チャネル（ｅＰＤＣＣＨ）の少なくとも一方を選択する選択部１１と、選択部１１により前記第１制御チャネルが選択された場合、前記第１制御チャネルの所要無線リソース量を定める第１制御チャネルリソース量決定部１２と、第１制御チャネルリソース量決定部１２により定められた前記第１制御チャネルの所要無線リソース量（レガシーＰＤＣＣＨの所要無線リソース量）で、前記第１制御チャネルの無線リソースを割り当てる第１制御チャネル割当部１３と、選択部１１により前記第２制御チャネルが選択された場合、前記第２制御チャネルの所要無線リソース量（ｅＰＤＣＣＨの所要無線リソース量）を定める第２制御チャネルリソース量決定部１４と、第２制御チャネルリソース量決定部１４により定められた前記第２制御チャネルの所要無線リソース量で、前記第２制御チャネルの無線リソースを割り当てる第２制御チャネル割当部１５と、を備える。
この構成により、第１制御チャネル割当部１３は、第１制御チャネル（レガシーＰＤＣＣＨ）の無線リソースを、端末（例えば、ピコＵＥ）に割り当てる。また、第２制御チャネル割当部１５は、第２制御チャネル（ｅＰＤＣＣＨ）の無線リソースを、端末（例えば、マクロＵＥ）に割り当てる。これにより、制御チャネル無線リソース割当装置は、ＬＴＥ Ｒｅｌ．１０までのＰＤＣＣＨと、このＰＤＣＣＨよりも高度化した下りリンク制御チャネルとが、無線リソースに割り当てられて共存した場合でも、データチャネルのスループットの低下を防ぐことができる。
【００６２】
また、第１制御チャネル割当部１３は、ピコ基地局側として動作する場合、ピコ基地局と通信する端末に第１制御チャネル（レガシーＰＤＣＣＨ）の無線リソースを割り当て、第２制御チャネル割当部１５は、マクロ基地局側として動作する場合、マクロ基地局と通信する端末に第２制御チャネル（ｅＰＤＣＣＨ）の無線リソースを割り当てる。
【００６３】
また、前記第２制御チャネル割当部１５は、ピコ基地局側として動作する場合、ピコ基地局と通信する端末（ピコＵＥ）に第２制御チャネル（ｅＰＤＣＣＨ）の無線リソースを割り当て、該割り当てを示す情報を、マクロ基地局側として動作するデータチャネル割当装置２０に通知することにより、データチャネル割当装置２０が、前記割り当てを示す情報が示す無線リソースに、マクロ基地局と通信する端末（マクロＵＥ）のデータチャネルの無線リソースを、割り当て不可とする。
【００６４】
また、第２制御チャネル割当部１５は、ピコ基地局側として動作する場合、ピコ基地局の拡張されたカバレッジに位置する端末（ＣＲＥピコＵＥ）に、前記拡張されたカバレッジに位置しない端末（非ＣＲＥピコＵＥ）と比較して優先的に、前記第２制御チャネルの無線リソースを割り当てる。
【００６５】
また、第１制御チャネル割当部１３は、前記拡張されたカバレッジに位置しない端末（非ＣＲＥピコＵＥ）に、前記第２制御チャネル割当部が前記第２制御チャネル（ｅＰＤＣＣＨ）の無線リソースを割り当てることができない場合、前記拡張されたカバレッジに位置しない端末に、前記第１制御チャネル（レガシーＰＤＣＣＨ）の無線リソースを割り当てる。
【００６６】
［第２実施形態］
第２実施形態では、サブフレームに離散的に配置された無線リソースにレガシーＰＤＣＣＨが対応し、複数のサブフレームに連続的に配置された無線リソースにｅＰＤＣＣＨが対応する点が、第１及び第２実施形態と相違する。以下では、第１実施形態との相違点についてのみ説明する。また、第２実施形態は、ヘテロジニアスネットワークに限られなくてよいので、以下では、マクロ基地局側についてのみ説明する。
【００６７】
制御チャネル無線リソース割当装置１０−１（マクロ基地局側）の第２構成例を説明する。
図４には、制御チャネル無線リソース割当装置の第２構成例が、ブロック図により示されている。制御チャネル無線リソース割当装置１０−１は、選択部１１−１と、第１制御チャネルリソース量決定部１２−１と、第１制御チャネル割当部１３−１と、第２制御チャネルリソース量決定部１４−１と、第２制御チャネル割当部１５−１と、第３制御チャネル割当部１６−１とを備える。
【００６８】
選択部１１−１は、マクロＵＥ毎のワイドバンドチャネル品質指標（Ｗｉｄｅｂａｎｄ Ｃｈａｎｎｅｌ Ｑｕａｌｉｔｙ Ｉｎｄｉｃａｔｏｒ（ＣＱＩ））及びサブバンドチャネル品質指標（Ｓｕｂｂａｎｄ ＣＱＩ）の差に基づいて、レガシーＰＤＣＣＨが対応する無線リソースをサブフレームに離散的（例えば、図２を参照）に配置させ、且つ、ｅＰＤＣＣＨが対応する無線リソースを複数のサブフレームに連続的（図５を用いて後述する）に配置させる。
【００６９】
具体的には、選択部１１−１は、ワイドバンドチャネル品質指標及びサブバンドチャネル品質指標の差が、予め定められたチャネル品質指標閾値未満であるマクロＵＥのための制御チャネルとして、レガシーＰＤＣＣＨを選択する。また、選択部１１−１は、ワイドバンドチャネル品質指標及びサブバンドチャネル品質指標の差が、予め定められたチャネル品質指標閾値以上であるマクロＵＥのための制御チャネルとして、ｅＰＤＣＣＨを選択する。
【００７０】
第１制御チャネル割当部１３−１は、レガシーＰＤＣＣＨの所要無線リソース量を用いて、ワイドバンドチャネル品質指標及びサブバンドチャネル品質指標の差がチャネル品質指標閾値未満であるマクロＵＥに対して、レガシーＰＤＣＣＨの無線リソースを割り当てる。
【００７１】
第２制御チャネルリソース量決定部１４−１は、サブフレームに離散的に配置されるｅＰＤＣＣＨの所要無線リソース量を値０と定める。また、第２制御チャネルリソース量決定部１３−１は、複数のサブフレームに連続的に配置されるｅＰＤＣＣＨの所要無線リソース量を、レガシーＰＤＣＣＨの所要無線リソース量と等しくなるように定める。
【００７２】
第２制御チャネル割当部１５−１には、サブフレームに離散的に配置されるｅＰＤＣＣＨの所要無線リソース量（値０）を示す情報と、複数のサブフレームに連続的に配置されるｅＰＤＣＣＨの所要無線リソース量を示す情報とが、第２制御チャネルリソース量決定部１４−１から入力される。第２制御チャネル割当部１５−１は、ワイドバンドチャネル品質指標及びサブバンドチャネル品質指標の差がチャネル品質指標閾値以上であるマクロＵＥに対して、複数のサブフレームに連続的に配置されるｅＰＤＣＣＨの所要無線リソース量を示す情報に基づいて、その所要無線リソース量のｅＰＤＣＣＨの無線リソースを割り当てる。
【００７３】
第３制御チャネル割当部１６−１には、第１制御チャネル割当部１３−１によるレガシーＰＤＣＣＨの割り当てを示す情報と、第２制御チャネル割当部１５−１によるｅＰＤＣＣＨの割り当てを示す情報とが入力される。第３制御チャネル割当部１６−１は、第１制御チャネル割当部１３−１により割り当てられたレガシーＰＤＣＣＨを、複数のサブフレームに連続的に配置された無線リソース（ＰＤＳＣＨ）に対応するよう割り当て直す。また、第３制御チャネル割当部１６−１は、第２制御チャネル割当部１５−１により割り当てられたｅＰＤＣＣＨを、複数のサブフレームに連続的に配置された無線リソース（ＰＤＳＣＨ）に対応するよう割り当て直す。
【００７４】
ここで、第３制御チャネル割当部１６−１は、式（１）を満足するマクロＵＥに対して、複数のサブフレームに連続的に配置された無線リソース（ＰＤＳＣＨ）を割り当てる。
【００７５】
バッファの送信キュー長
≧当該バッファに記憶されたデータが送信されるサブフレームの割当結果が用いられる送信可能データサイズ×２  …（１）
【００７６】
式（１）における送信可能データサイズとは、例えば、トランスポートブロックサイズ（Ｔｒａｎｓｐｏｒｔ Ｂｌｏｃｋ Ｓｉｚｅ: ＴＢＳ）である。また、連続送信されるサブフレーム数は、バッファの送信キュー長を、当該バッファに記憶されたデータが送信されるサブフレームの割当結果により除算した値以上を満たす最小の整数（ｃｅｉｌ関数の結果）に定められる。
【００７７】
図５には、複数のサブフレーム毎に連続的に配置されたデータチャネルに割り当てられた同一の無線リソースに対応する、高度化した下りリンク制御チャネル（ｅＰＤＣＣＨ）領域の例が示されている。ここで、縦軸は、周波数軸である。また、横軸は、時間軸である。図５では、一例として、４個のサブフレームに連続的に配置された４個のＰＤＳＣＨに、１個のｅＰＤＣＣＨが対応している。
【００７８】
図６には、連続的に配置されたデータチャネルに割り当てられた同一の無線リソースに対応する、ＬＴＥ Ｒｅｌ．１０までのＰＤＣＣＨ（レガシーＰＤＣＣＨ）領域の例が示されている。ここで、縦軸は、周波数軸である。また、横軸は、時間軸である。図６では、一例として、４個のサブフレームに連続的に配置された４個のＰＤＳＣＨに、１個のレガシーＰＤＣＣＨ１が対応している。また、一例として、３個のサブフレームに連続的に配置された３個のＰＤＳＣＨに、１個のレガシーＰＤＣＣＨ２が対応している。
【００７９】
以上のように、選択部１１−１は、ワイドバンドチャネル品質指標（ワイドバンドＣＱＩ）及びサブバンドチャネル品質指標（サブバンドＣＱＩ）の差に応じて、前記第１制御チャネル（レガシーＰＤＣＣＨ）及び前記第２制御チャネル（ｅＰＤＣＣＨ）を選択し、第１制御チャネル割当部１３−１は、選択部１１−１による選択に基づいて、前記差が所定閾値未満である端末（マクロＵＥ）に、前記第１制御チャネルの無線リソースを割り当て、第２制御チャネル割当部１５−１は、選択部１１−１による選択に基づいて、前記差が前記所定閾値以上である端末（マクロＵＥ）に、前記第２制御チャネルの無線リソースを割り当てる。
この構成により、選択部１１−１は、ワイドバンドチャネル品質指標及びサブバンドチャネル品質指標の差に応じて、前記第１制御チャネル（レガシーＰＤＣＣＨ）及び前記第２制御チャネル（ｅＰＤＣＣＨ）を選択する。これにより、制御チャネル無線リソース割当装置１０−１は、ＬＴＥ Ｒｅｌ．１０までのＰＤＣＣＨと、このＰＤＣＣＨよりも高度化した下りリンク制御チャネルとが、無線リソースに割り当てられて共存した場合でも、チャネル品質指標に基づいて、データチャネルのスループットの低下を防ぐことができる。
【００８０】
また、制御チャネル無線リソース割当装置１０−１は、前記第１制御チャネル割当部１３−１により割り当てられた前記第１制御チャネル（レガシーＰＤＣＣＨ）を、複数のサブフレームに連続的に配置されたデータチャネルに割り当てられた同一の無線リソース（ＰＤＳＣＨ）に対応するように割り当て直し、第２制御チャネル割当部１５−１により割り当てられた前記第２制御チャネル（ｅＰＤＣＣＨ）を、複数のサブフレームに連続的に配置されたデータチャネルに割り当てられた同一の無線リソース（ＰＤＳＣＨ）に対応するように割り当て直す第３制御チャネル割当部１６−１を備える。
【００８１】
また、第３制御チャネル割当部１６−１は、バッファの送信キュー長が、当該バッファに記憶されたデータが送信されるサブフレームの割当結果が用いられる送信可能データサイズの２倍以上となる端末（マクロＵＥ）に、複数のサブフレームに連続的に配置されたデータチャネルに割り当てられた同一の無線リソース（ＰＤＳＣＨ）を割り当てる。
【００８２】
［第３実施形態］
第３実施形態では、制御チャネルの所要無線リソース量に基づくアグリゲーションレベル（Ａｇｇｒｅｇａｔｉｏｎ Ｌｅｖｅｌ）に応じて、レガシーＰＤＣＣＨ又はｅＰＤＣＣＨが選択される点が、第１及び第２実施形態と相違する。以下では、第１及び第２実施形態との相違点についてのみ説明する。
【００８３】
図７には、制御チャネル無線リソース割当装置の第３構成例が、ブロック図により示されている。制御チャネル無線リソース割当装置１０−１は、選択部１１−１と、第１制御チャネルリソース量決定部１２−１と、第１制御チャネル割当部１３−１と、第２制御チャネルリソース量決定部１４−１と、第２制御チャネル割当部１５−１とを備える。
【００８４】
また、制御チャネル無線リソース割当装置１０−２は、制御チャネル無線リソース割当装置１０−１と同構成を有する。すなわち、制御チャネル無線リソース割当装置１０−２は、選択部１１−２と、第１制御チャネルリソース量決定部１２−２と、第１制御チャネル割当部１３−２と、第２制御チャネルリソース量決定部１４−２と、第２制御チャネル割当部１５−２とを備える。
【００８５】
第３実施形態は、ヘテロジニアスネットワークに限られなくてよいので、以下では、マクロ基地局側についてのみ説明する。
【００８６】
制御チャネル無線リソース割当装置１０−１（マクロ基地局側）の構成例を説明する。
第１制御チャネルリソース量決定部１２−１は、所定条件に基づいて、レガシーＰＤＣＣＨの所要無線リソース量を定める。また、第１制御チャネルリソース量決定部１２−１は、レガシーＰＤＣＣＨの所要無線リソース量を示す情報に基づいて、レガシーＰＤＣＣＨのアグリゲーションレベルを定め、レガシーＰＤＣＣＨのアグリゲーションレベルを示す情報と、レガシーＰＤＣＣＨの所要無線リソース量を示す情報とを、選択部１１−１に出力する。
【００８７】
第２制御チャネルリソース量決定部１４−２は、所定条件に基づいて、ｅＰＤＣＣＨの所要無線リソース量を定める。また、第２制御チャネルリソース量決定部１４−２は、ｅＰＤＣＣＨの所要無線リソース量を示す情報に基づいて、ｅＰＤＣＣＨのアグリゲーションレベルを定め、ｅＰＤＣＣＨのアグリゲーションレベルを示す情報と、ｅＰＤＣＣＨの所要無線リソース量を示す情報とを、選択部１１−１に出力する。
【００８８】
選択部１１−１は、レガシーＰＤＣＣＨのアグリゲーションレベルと、ｅＰＤＣＣＨのアグリゲーションレベルとに基づいて、レガシーＰＤＣＣＨ又はｅＰＤＣＣＨを選択する。ここで、選択部１１−１は、レガシーＰＤＣＣＨ及びｅＰＤＣＣＨの順にマクロＵＥがブラインドデコーディングする場合、ブラインドデコーディングの回数がマクロＵＥ毎に等しくなるように、各アグリゲーションレベルに応じて、レガシーＰＤＣＣＨ又はｅＰＤＣＣＨをマクロＵＥ毎に選択する。また、選択部１１−１は、アグリゲーションレベル８，４，２，１の順にマクロＵＥがブラインドデコーディングする場合、選択部１１−１は、ブラインドデコーディングの回数がマクロＵＥ毎に等しくなるように、各アグリゲーションレベルに応じて、レガシーＰＤＣＣＨ又はｅＰＤＣＣＨをマクロＵＥ毎に選択する。
【００８９】
＜レガシーＰＤＣＣＨの所要無線リソース量に基づくアグリゲーションレベルが１又は２であり、ｅＰＤＣＣＨの所要無線リソース量に基づくアグリゲーションレベルが４又は８の場合について＞
【００９０】
第１制御チャネルリソース量決定部１２−１は、ｅＰＤＣＣＨの所要無線リソース量と等しくなるように、レガシーＰＤＣＣＨの所要無線リソース量を定める。また、第１制御チャネルリソース量決定部１２−１は、ｅＰＤＣＣＨの所要無線リソース量の２分の１倍の量を、レガシーＰＤＣＣＨの所要無線リソース量と定めてもよい。
【００９１】
第２制御チャネルリソース量決定部１４−１は、レガシーＰＤＣＣＨの所要無線リソース量と等しくなるように、ｅＰＤＣＣＨの所要無線リソース量を定める。また、第２制御チャネルリソース量決定部１４−１は、レガシーＰＤＣＣＨの所要無線リソース量の２倍の量を、ｅＰＤＣＣＨの所要無線リソース量と定めてもよい。
【００９２】
選択部１１−１は、アグリゲーションレベルが１又は２であるマクロＵＥのための制御チャネルとして、レガシーＰＤＣＣＨを選択する。選択部１１−１は、アグリゲーションレベルが１又は２であるマクロＵＥを示す情報と、レガシーの所要無線リソース量を示す情報とを、第１制御チャネル割当部１３−１に出力する。
【００９３】
また、選択部１１−１は、アグリゲーションレベルが４又は８であるマクロＵＥのための制御チャネルとして、ｅＰＤＣＣＨを選択する。選択部１１−１は、アグリゲーションレベルが４又は８であるマクロＵＥを示す情報と、ｅＰＤＣＣＨの所要無線リソース量を示す情報とを、第２制御チャネル割当部１５−１に出力する。
【００９４】
第１制御チャネル割当部１３−１は、アグリゲーションレベルが１又は２であるマクロＵＥに対して、選択部１１−１による選択結果と、レガシーの所要無線リソース量を示す情報とに基づいて、レガシーＰＤＣＣＨの無線リソースを割り当てる。
【００９５】
第２制御チャネル割当部１５−１は、アグリゲーションレベルが４又は８であるマクロＵＥに対して、選択部１１−１による選択結果と、ｅＰＤＣＣＨの所要無線リソース量を示す情報とに基づいて、その所要無線リソース量のｅＰＤＣＣＨの無線リソースを割り当てる。
【００９６】
＜レガシーＰＤＣＣＨの所要無線リソース量に基づくアグリゲーションレベルが４又は８であり、ｅＰＤＣＣＨの所要無線リソース量に基づくアグリゲーションレベルが１又は２の場合について＞
【００９７】
第１制御チャネルリソース量決定部１２−１は、ｅＰＤＣＣＨの所要無線リソース量と等しくなるように、レガシーＰＤＣＣＨの所要無線リソース量を定める。また、第２制御チャネルリソース量決定部１４−１は、ｅＰＤＣＣＨの所要無線リソース量の２倍の量を、レガシーＰＤＣＣＨの所要無線リソース量と定めてもよい。
【００９８】
第２制御チャネルリソース量決定部１４−１は、レガシーＰＤＣＣＨの所要無線リソース量と等しくなるように、ｅＰＤＣＣＨの所要無線リソース量を定める。また、第２制御チャネルリソース量決定部１４−１は、レガシーＰＤＣＣＨの所要無線リソース量の２分の１倍の量を、ｅＰＤＣＣＨの所要無線リソース量と定めてもよい。
【００９９】
選択部１１−１は、アグリゲーションレベルが４又は８であるマクロＵＥのための制御チャネルとして、レガシーＰＤＣＣＨを選択する。選択部１１−１は、アグリゲーションレベルが４又は８であるマクロＵＥを示す情報と、レガシーの所要無線リソース量を示す情報とを、第１制御チャネル割当部１３−１に出力する。
【０１００】
また、選択部１１−１は、アグリゲーションレベルが１又は２であるマクロＵＥのための制御チャネルとして、ｅＰＤＣＣＨを選択する。選択部１１−１は、アグリゲーションレベルが１又は２であるマクロＵＥを示す情報と、ｅＰＤＣＣＨの所要無線リソース量を示す情報とを、第２制御チャネル割当部１５−１に出力する。
【０１０１】
第１制御チャネル割当部１３−１は、アグリゲーションレベルが４又は８であるマクロＵＥに対して、選択部１１−１による選択結果と、レガシーの所要無線リソース量を示す情報とに基づいて、レガシーＰＤＣＣＨの無線リソースを割り当てる。
【０１０２】
第２制御チャネル割当部１５−１は、アグリゲーションレベルが１又は２であるマクロＵＥに対して、選択部１１−１による選択結果と、ｅＰＤＣＣＨの所要無線リソース量を示す情報とに基づいて、その所要無線リソース量のｅＰＤＣＣＨの無線リソースを割り当てる。
【０１０３】
図８には、制御チャネル無線リソース割当装置の第４構成例が、ブロック図により示されている。制御チャネル無線リソース割当装置１０−１は、選択部１１−１と、第１制御チャネルリソース量決定部１２−１と、第１制御チャネル割当部１３−１と、第２制御チャネルリソース量決定部１４−１と、第２制御チャネル割当部１５−１と、第３制御チャネル割当部１６−１とを備える。
【０１０４】
レガシーＰＤＣＣＨ又はｅＰＤＣＣＨがアグリゲーションレベルに応じて選択される場合でも、第２実施形態と同様に、サブフレームに離散的に配置された無線リソースにレガシーＰＤＣＣＨが対応し、複数のサブフレームに連続的に配置された無線リソースにｅＰＤＣＣＨが対応してもよい。
【０１０５】
以上のように、制御チャネル無線リソース割当装置１０（無線リソース割当システム）は、第１制御チャネル（レガシーＰＤＣＣＨ）の所要無線リソース量を定め、前記第１制御チャネルの所要無線リソース量に基づいて、前記第１制御チャネルのアグリゲーションレベルを定める第１制御チャネルリソース量決定部１２と、第２制御チャネル（ｅＰＤＣＣＨ）の所要無線リソース量を定め、前記第２制御チャネルの所要無線リソース量に基づいて、前記第２制御チャネルのアグリゲーションレベルを定める第２制御チャネルリソース量決定部１４と、前記第１制御チャネルのアグリゲーションレベルと、前記第２制御チャネルのアグリゲーションレベルとに基づいて、前記第１制御チャネル及び前記第２制御チャネルの少なくとも一方を選択する選択部１１と、選択部１１により前記第１制御チャネルが選択された場合、前記第１制御チャネルリソース量決定部により定められた前記第１制御チャネルの所要無線リソース量で、前記第１制御チャネルの無線リソースを割り当てる第１制御チャネル割当部１３と、選択部１１により前記第２制御チャネルが選択された場合、前記第２制御チャネルリソース量決定部により定められた前記第２制御チャネルの所要無線リソース量で、前記第２制御チャネルの無線リソースを割り当てる第２制御チャネル割当部１５と、を備える。
この構成により、選択部１１は、前記第１制御チャネルのアグリゲーションレベルと、前記第２制御チャネルのアグリゲーションレベルとに基づいて、前記第１制御チャネル及び前記第２制御チャネルの少なくとも一方を選択する。これにより、制御チャネル無線リソース割当装置は、ＬＴＥ Ｒｅｌ．１０までのＰＤＣＣＨと、このＰＤＣＣＨよりも高度化した下りリンク制御チャネルとが、無線リソースに割り当てられて共存した場合でも、データチャネルのスループットの低下を防ぐことができる。
【０１０６】
また、選択部１１−１は、端末毎（マクロＵＥ毎）にブラインドデコーディングの回数が等しくなるように、アグリゲーションレベルに応じて、前記第１制御チャネル（レガシーＰＤＣＣＨ）及び前記第２制御チャネル（ｅＰＤＣＣＨ）を選択し、第１制御チャネル割当部１３−１は、選択部１１−１による選択に基づいて、アグリゲーションレベルが１又は２である端末（マクロＵＥ）に、前記第１制御チャネルの無線リソースを割り当て、第２制御チャネル割当部１５−１は、選択部１１−１による選択に基づいて、アグリゲーションレベルが４又は８である端末（マクロＵＥ）に、前記第２制御チャネルの無線リソースを割り当てる。
この構成により、選択部１１−１は、端末毎（マクロＵＥ毎）にブラインドデコーディングの回数が等しくなるように、アグリゲーションレベルに応じて、前記第１制御チャネル（レガシーＰＤＣＣＨ）及び前記第２制御チャネル（ｅＰＤＣＣＨ）を選択する。これにより、制御チャネル無線リソース割当装置１０−１は、マクロＵＥ毎にブラインドデコーディングの回数を等しくさせることができる。
【０１０７】
また、マクロＵＥは、レガシーＰＤＣＣＨ又はｅＰＤＣＣＨを受信するために、レガシーＰＤＣＣＨとｅＰＤＣＣＨとの両方をブラインドデコーディング（Ｂｌｉｎｄ Ｄｅｃｏｄｉｎｇ）する必要がない。
【０１０８】
また、選択部１１−１は、前記第１制御チャネル（レガシーＰＤＣＣＨ）の所要無線リソース量の半分の量が、前記第２制御チャネル（ｅＰＤＣＣＨ）の所要無線リソース量と等しくなるように、アグリゲーションレベルに応じて、前記第１制御チャネル及び前記第２制御チャネルを選択し、第１制御チャネル割当部１３−１は、選択部１１−１による選択に基づいて、アグリゲーションレベルが４又は８である端末（マクロＵＥ）に、前記第１制御チャネルの無線リソースを割り当て、第２制御チャネル割当部１５−１は、選択部１１−１による選択に基づいて、アグリゲーションレベルが１又は２である端末（マクロＵＥ）に、前記第２制御チャネルの無線リソースを割り当てる。
この構成により、選択部１１−１は、前記第１制御チャネル（レガシーＰＤＣＣＨ）の所要無線リソース量の半分（２分の１）の量が、前記第２制御チャネル（ｅＰＤＣＣＨ）の所要無線リソース量と等しくなるように、アグリゲーションレベルに応じて、前記第１制御チャネル及び前記第２制御チャネルを選択する。これにより、制御チャネル無線リソース割当装置１０−１は、ｅＰＤＣＣＨの所要無線リソースの量を、レガシーＰＤＣＣＨの無線リソース量の半分に抑えることができる。
【０１０９】
以上、この発明の実施形態について図面を参照して詳述してきたが、具体的な構成はこの実施形態に限られるものではなく、この発明の要旨を逸脱しない範囲の設計等も含まれる。
【０１１０】
なお、上記の説明における等しいとは、厳密に等しくすることまでは要求されない。例えば、予め定められた誤差があってもよい。
【０１１１】
なお、上記に説明した制御チャネル無線リソース割当装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１１２】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１１４】
１０…制御チャネル無線リソース割当装置、１１…選択部、１２…第１制御チャネルリソース量決定部、１３…第１制御チャネル割当部、１４…第２制御チャネルリソース量決定部、１５…第２制御チャネル割当部、１６…第３制御チャネル割当部、２０…データチャネル割当装置
【図１】
2013175893.tif 000003
【図２】
2013175893.tif 000004
【図３】
2013175893.tif 000005
【図４】
2013175893.tif 000006
【図５】
2013175893.tif 000007
【図６】
2013175893.tif 000008
【図７】
2013175893.tif 000009
【図８】
2013175893.tif 000010